(57)【要約】【課題】  カメラの小型化。【解決手段】  カメラ１は、撮影レンズ１１ｃを内蔵する移動筒１１ｂおよび移動筒１１ｂを撮影レンズ１１ｃの光軸方向に移動可能に保持する固定筒１１ａを有するレンズ鏡筒１１と、レンズ鏡筒１１の上部に配置され、撮影視野を表示するファインダ１２と、移動筒１１ｂをギヤ列１４を介して駆動する駆動モータ１３とを備える。駆動モータ１３は、カメラ１の正位置で、レンズ鏡筒１１の外形側面に接する２つの垂直面Ｐに挟まれた三次元領域Ａ内でファインダ１２の側方に配置される。【選択図】  図１
2005215073.tif 000002
【特許請求の範囲】
【請求項１】
撮影レンズを内蔵する移動筒および該移動筒を前記撮影レンズの光軸方向に移動可能に保持する固定筒を有する鏡筒部と、
前記鏡筒部の上部に配置され、撮影視野を表示するファインダ部と、
前記移動筒を駆動力伝達機構を介して駆動する駆動源とを備えるカメラにおいて、
前記駆動源は、前記カメラの正位置において、前記鏡筒部の外形側面に接する２つの垂直面に挟まれた三次元領域内で前記ファインダ部の側方に配置されることを特徴とするカメラ。
【請求項２】
請求項１に記載のカメラにおいて、
前記ファインダ部の近傍に撮影補助光部をさらに有し、
前記駆動源は、前記撮影補助光部の後方に配置されることを特徴とするカメラ。
【請求項３】
請求項１に記載のカメラにおいて、
前記ファインダ部の近傍に撮影光発光部をさらに有し、
前記駆動源は、前記撮影光発光部の後方に配置されることを特徴とするカメラ。
【請求項４】
請求項１または２に記載のカメラにおいて、
前記鏡筒部の側方に電池室をさらに有し、
前記駆動源は、前記鏡筒部とファインダ部と電池室とが形成する空間に配置されることを特徴とするカメラ。
【請求項５】
請求項１〜４のいずれかに記載のカメラにおいて、
前記駆動源は、その回転軸が前記垂直面と平行になるように配置されることを特徴とするカメラ。
【発明の詳細な説明】
【技術分野】
【０００１】
本発明は、カメラの筺体内のレイアウトに関する。
【背景技術】
【０００２】
カメラの筺体内には、撮影レンズを内蔵するレンズ鏡筒、レンズ鏡筒を光軸方向に移動する鏡筒駆動用モータ、電池を収納する電池室、コンデンサ等の各種の構成部品が組み込まれている。カメラは、携帯して使用する機会が多く、手に持って移動したり、他の携行品と一緒にバッグに入れて持ち運ぶことが多いので、カメラの小型化、コンパクト化の要請が強い。従来、電池室とこれに長手方向を揃えて並設したコンデンサとの段差による空間部に、鏡筒駆動用モータを、モータ軸が撮影光軸と平行するように配設したカメラが知られている（例えば、特許文献１参照）。
【０００３】
【特許文献１】特開平５−２３２５６３号公報（第２頁、第１図）
【発明の開示】
【発明が解決しようとする課題】
【０００４】
上記特許文献１の技術では、カメラの正位置において、レンズ鏡筒、鏡筒駆動用モータおよび電池室がカメラの幅方向（側方）に並列配置されているので、幅方向の寸法が大きくなるという問題がある。
【課題を解決するための手段】
【０００５】
（１）請求項１のカメラは、撮影レンズを内蔵する移動筒および該移動筒を撮影レンズの光軸方向に移動可能に保持する固定筒を有する鏡筒部と、鏡筒部の上部に配置され、撮影視野を表示するファインダ部と、移動筒をギヤ列等の駆動力伝達機構を介して駆動する駆動源とを備えており、駆動源をカメラの正位置において、鏡筒部の外形側面に接する２つの垂直面に挟まれた三次元領域内でファインダ部の側方に配置することを特徴とする。
（２）請求項２のカメラは、ファインダ部の近傍に撮影補助光部をさらに有する請求項１のカメラにおいて、駆動源を撮影補助光部の後方に配置することが好ましい。
（３）請求項３のカメラは、ファインダ部の近傍に撮影光発光部をさらに有する請求項１のカメラにおいて、駆動源を撮影光発光部の後方に配置することが好ましい。また、請求項４のカメラは、鏡筒部の側方に電池室をさらに有する請求項１または２のカメラにおいて、駆動源を鏡筒部とファインダ部と電池室とが形成する空間に配置することが好ましい。
（４）請求項５のカメラは、請求項１〜４のいずれかのカメラにおいて、駆動源の回転軸が垂直面と平行になるように配置することができる。
【発明の効果】
【０００６】
本発明によれば、駆動源を鏡筒部の外形側面に接する２つの垂直面に挟まれた三次元領域内でファインダ部の側方に配置するので、カメラの小型化を図ることができる。
【発明を実施するための最良の形態】
【０００７】
以下、本発明の実施の形態によるカメラについて、図１，２を参照しながら説明する。
〈第１の実施の形態〉
図１および２は、本発明の第１の実施の形態によるカメラの構成部品の配置を示す概略図である。図１は、カメラ１の正位置における正面図、図２は、カメラ１の正位置における上面図である。正位置とは、カメラの底面を水平な台に接して置いたときの姿勢をいう。正位置では、撮影レンズの光軸は水平面に平行となっている。
【０００８】
図１において、カメラ１は、筺体１０、レンズ鏡筒１１、ファインダ１２、駆動モータ１３、ギヤ列１４、撮影補助光部１５および電池室１６を備えている。筺体１０は、略直方体の箱であり、その内部スペースに各種の構成部品が組み込まれ配置されている。レンズ鏡筒１１は、筺体１０に固定された固定筒１１ａと、固定筒１１ａの内側に収納された移動筒１１ｂと、移動筒１１ｂに内蔵された撮影レンズ１１ｃとを有する。
【０００９】
駆動モータ１３は、例えば電磁回転モータであり、駆動モータ１３の動力軸１３ａは、複数枚の歯車が噛合するギヤ列１４の一端へ連結されている。ギヤ列１４の他端は、移動筒１１ｂを駆動するための駆動機構（不図示）へ連結されている。レンズ鏡筒１１の移動筒１１ｂは、駆動モータ１３の回転力を回転伝達系であるギヤ列１４を介して不図示の駆動機構に伝達することにより、撮影レンズ１１ｃの光軸方向に移動する。移動筒１１ｂは、例えば、撮影時には筺体１０から繰り出され、非撮影時には筺体１０内に収容される。
【００１０】
ファインダ１２は、対物レンズ１２ａとその後方に設けられた接眼レンズ（不図示）を有する。ファインダ１２は、被写体からの光を対物レンズ１２ａを透して入射させ、接眼レンズにより実像として観察できるように構成されている。撮影補助光部１５は、光源と照射光学系を有する。撮影補助光部１５は、光源からオートフォーカス用の補助光を照射光学系を透して被写体へ投射する。電池室１６は、電池を収納するための空間を形成し、電池の電極端子に接触する電池接点を有する。電池室１６に装填された電池の電力は、駆動モータ１３、撮影補助光部１５などに供給される。使用する電池は、カード型電池でもよいし、通常の棒状乾電池でもよい。
【００１１】
以下、上記構成部品のレイアウトについて説明する。本来、カメラに対しては小型化の要望が強く、小型化を図る一手段として、筺体内の遊休空間をできるだけ少なくし、各種構成部品を合理的にレイアウトすることが挙げられる。図１に示されるように、本実施の形態では、カメラ１に向かって、左側に電池室１６、右側のやや下方にレンズ鏡筒１１が配置され、レンズ鏡筒１１の上方にファインダ１２と撮影補助光部１５が配置される。サイズの大きい電池室１６とレンズ鏡筒１１をカメラ１の幅方向に並べて配置することは、カメラ１の奥行きの短縮、すなわちカメラの薄型化に適する。また、撮影補助光部１５は、被写体に面するカメラ１の前方（正面側）に配置されている。
【００１２】
今、カメラ１の正位置で、レンズ鏡筒１１の外周面に接する垂直面Ｐを想定し、筐体１０内で２枚の垂直面Ｐに挟まれた三次元領域をＡとする。２枚の垂直面Ｐの間隔は、レンズ鏡筒１１の外径に等しい。本実施の形態では、駆動モータ１３は、動力軸１３ａの軸線方向を図１の紙面上で上下方向として三次元領域Ａに存在するように配置されている。これが本実施の形態のカメラ１におけるレイアウトの特徴である。
【００１３】
本実施の形態のカメラ１では、上述したレイアウトをとることにより、カメラ１の幅方向（図１中、左右方向）の長さを短縮することができ、カメラの小型化を図ることができる。なお、ギヤ列１４は、必然的に駆動モータ１３とレンズ鏡筒１１の間に配置されるので、三次元領域Ａの中に、駆動モータ１３に加えて、ギヤ列１４も含まれるようにすれば、より一層カメラの小型化を実現できる。
【００１４】
また、図２に示されるように、撮影補助光部１５は、比較的小さな部品であるので、カメラ１の正面側に配置した場合、その後方に空間Ｂが形成される。空間Ｂは、レンズ鏡筒１１とファインダ１２と電池室１６と撮影補助光部１５とで囲まれた三次元領域である。駆動モータ１３を三次元領域Ａと空間Ｂの重なり合う領域に配置することにより、撮影補助光部１５の後方に形成される空間を有効に利用することができる。
【００１５】
〈第２の実施の形態〉
図３および４は、本発明の第２の実施の形態によるカメラの構成部品の配置を示す概略図である。図３は、カメラの正位置における正面図、図４は、カメラの正位置における上面図である。本実施の形態のカメラ２については、第１の実施の形態のカメラ１と同じ構成部品には同一符号を付し、説明を省略する。
【００１６】
図３において、カメラ２の構成部品は、カメラ１の構成部品と基本的に同じである。カメラ２がカメラ１と異なる点は、ファインダ１２、駆動モータ１３、ギヤ列１４および撮影補助光部１５の配置である。これに伴って、カメラ１とカメラ２では、ギヤ列１４の歯車の配列が多少異なってくる。また、カメラ２では、レンズ鏡筒１１の上方に閃光発光部１７が設けられている。閃光発光部１７は、撮影時に撮影のための照明光を被写体に向けて投光する電子閃光装置である。
【００１７】
構成部品のレイアウトについて、図３，４に示されるように、カメラ２に向かって、左側に電池室１６、右側のやや下方にレンズ鏡筒１１が配置され、レンズ鏡筒１１の上方にファインダ１２が配置される。ファインダ１２の前方（正面側）には、カメラ２の幅方向（図中、左右方向）に延在する閃光発光部１７が配置される。
【００１８】
図４に示されるように、ファインダ１２は、カメラ２を上から見るとＬ字型の形状を呈している。このＬ字型形状が形成する空間の半分以上は、閃光発光部１７によって占められており、閃光発光部１７のＬ字型形状が形成する空間から逸脱する部分の後方、且つファインダ１２の側方に空間Ｃが形成される。駆動モータ１３は、空間Ｃの中に、動力軸１３ａの軸線方向を図３の紙面上で上下方向として配置される。また、撮影補助光部１５は、ファインダ１２の対物レンズ１２ａの下方に配置される。
【００１９】
空間Ｃは、筐体１０内で２枚の垂直面Ｐに挟まれた三次元領域Ａに含まれるので、駆動モータ１３は、当然ながら三次元領域Ａに存在することになる。本実施の形態のカメラ２では、駆動モータ１３は、三次元領域Ａ内で閃光発光部１７の後方、且つファインダ１２の側方に位置している。
【００２０】
本実施の形態のカメラ２では、上述したレイアウトをとることにより、カメラ２の幅方向（図３中、左右方向）の長さを短縮することができ、カメラの小型化を図ることができる。なお、空間Ｃの中に、駆動モータ１３に加えて、ギヤ列１４も含まれるようにすれば、より一層カメラの小型化を実現できる。
【００２１】
本発明は、その特徴を損なわない限り、以上説明した実施の形態に何ら限定されない。
上述の実施の形態は、デジタルカメラにも銀塩フィルムを用いるコンパクトカメラにも適用することができる。
【図面の簡単な説明】
【００２２】
【図１】本発明の第１の実施の形態によるカメラの構成部品の配置を示す概略図（正面図）である。
【図２】本発明の第１の実施の形態によるカメラの構成部品の配置を示す概略図（上面図）である。
【図３】本発明の第２の実施の形態によるカメラの構成部品の配置を示す概略図（正面図）である。
【図４】本発明の第２の実施の形態によるカメラの構成部品の配置を示す概略図（上面図）である。
【符号の説明】
【００２３】
１，２：カメラ
１０：筺体
１１：レンズ鏡筒
１２：ファインダ
１３：駆動モータ
１４：ギヤ列
１５：撮影補助光部
１６：電池室
１７：閃光発光部
Ａ：三次元領域
Ｂ，Ｃ：空間
【図１】
2005215073.tif 000003
【図２】
2005215073.tif 000004
【図３】
2005215073.tif 000005
【図４】
2005215073.tif 000006